【手続補正書】
【提出日】平成16年1月28日(2004.1.28)
【手続補正１】
【補正対象書類名】明細書
【補正対象項目名】全文
【補正方法】変更
【補正の内容】
【発明の名称】住宅用排水配管装置
【特許請求の範囲】
【請求項１】建物の床下に配管され建物内の各排水設備にそれぞれ接続した排水枝管を、
建物の床下に向けて配管した縦枝管部と、
床下に下流側を下方に向けた勾配をもって配管された横枝管部と、
縦枝管部と横枝管部とを接続する湾曲枝管部と
にてそれぞれ形成し、
前記各排水技管の少くとも各湾曲枝管部をフレキシブル管にてそれぞれ形成した
ことを特徴とすることを特徴とする住宅用排水配管装置。
【請求項２】建物の外方に建物の外郭に沿って宅地内に配管され排水枝管を接続する流入枝管口を有する排水桝を接続した排水管を備え、
前記各排水枝管は、ほぼ同一方向に向けて建物の外側に導出して宅地内に配管された前記排水管に接続されている排水桝の流入枝管口に接続することを特徴とする請求項１記載の住宅用排水配管装置。
【請求項３】建物の床下に配管され建物内の各排水設備にそれぞれ接続する排水枝管と、建物の外方に建物の外郭に沿って宅地内に配管された流入枝管口を有する排水桝とは、一箇所に集中して設けることを特徴とする請求項２記載の住宅用排水配管装置。
【発明の詳細な説明】
【０００１】
【発明の属する技術分野】
本発明は建物の便器、風呂場、洗面所などの排水設備に接続して建物内に配管された排水枝管を宅地内に配管された排水管に接続する個人住宅または小規模集合住宅などの住宅用排水配管装置に関する。
【０００２】
【従来の技術】
個人住宅または小規模集合住宅などの建物から導出された排水枝管を宅地内に配管されている排水管に接続する場合には排水桝を設置する必要がある。
【０００３】
従来の住宅用排水配管装置は、図５に示すように、一般に建物１内の便器、風呂場、洗面所などの排水設備２に接続された排水枝管３をできるだけ最短距離で建物１の外側に導出し、この建物１の外側に導出した排水枝管３を、建物１の外郭に沿って宅地４内に配管した排水管５に接続されている排水桝６の流入枝管口に接続し、この排水管５の下流側端末に公共桝７を接続し、この公共桝７を道路などに埋設された下水管に接続する構造が採られている。
【０００４】
このような住宅用排水配管装置では、宅地４内に建物１の外郭に沿って排水管５を配管するとともにこの排水管５に排水桝６を建物から導出される各排水枝管３ごとに接続する必要があり、宅地４内の排水管５に接続する排水桝６間は排水管５で接続するため、建物１の外側に排水桝６を設置する空間が必要となる。
【０００５】
しかしながら、宅地４の狭隘化により、建物１の外郭に沿って排水管５を配管するとともにこの排水管５には建物１からの各排水枝管３ごとにそれぞれ排水桝６を設置することが困難な場合が生じている。
【０００６】
【発明が解決しようとする課題】
本発明は、建物の外郭に沿って排水管を配管するとともにこの排水管に建物からの排水枝管ごとに排水桝を設置することが困難な狭隘の宅地でも、宅地内の排水管に接続した各排水桝に建物から導出された各排水枝管を容易に接続できる住宅用排水配管装置を提供するものである。
【０００７】
【課題を解決するための手段】
請求項１記載の発明の住宅用排水配管装置は、建物の床下に配管され建物内の各排水設備にそれぞれ接続した排水枝管を、建物の床下に向けて配管した縦枝管部と、床下に下流側を下方に向けた勾配をもって配管された横枝管部と、縦枝管部と横枝管部とを接続する湾曲枝管部とにてそれぞれ形成し、前記各排水技管の少くとも各湾曲枝管部をフレキシブル管にてそれぞれ形成したものである。
【０００８】
そして、建物内の各排水設備にそれぞれ接続する排水枝管は、建物の外郭と宅地の境界との間に排水桝を接続した排水管を配管する余裕がある側に向けて、各排水設備に接続した排水枝管をそれぞれ床下にほぼ同一方向に向けて配管して建物の外側に導出することにより、狭い宅地内でも狭い箇所より比較的余裕のある箇所に各排水枝管を導出することにより、建物の各排水枝管を容易に排水管に接続できる。
【０００９】
請求項２記載の住宅用排水配管装置は、請求項１記載の住宅用排水配管装置において、建物の外方に建物の外郭に沿って宅地内に配管され排水枝管を接続する流入枝管口を有する排水桝を接続した排水管を備え、前記各排水枝管は、ほぼ同一方向に向けて建物の外側に導出して宅地内に配管された前記排水管に接続されている排水桝の流入枝管口に接続するものである。
【００１０】
そして、各排水設備に接続した排水枝管を宅地内の排水桝を接続した排水管を建物の外郭と宅地の境界との間に配管する余裕のある側に向けて容易に配管でき、建物の各排水設備からの排水枝管を容易に排水管に接続した排水桝に接続できる。
【００１１】
請求項３記載の住宅用排水配管装置は、請求項２記載の住宅用排水配管装置において、建物の床下に配管され建物内の各排水設備にそれぞれ接続する排水枝管と、建物の外方に建物の外郭に沿って宅地内に配管された流入枝管口を有する排水桝とは、一箇所に集中して設けるものである。
【００１２】
そして、各排水設備に接続した各排水枝管を建物の外側の余裕のある箇所に集中的に導出することにより配管作業を容易に行うことができる。
【００１３】
【発明の実施の形態】
次に本発明の住宅用排水配管装置の一実施の形態を図面に基いて説明する。
【００１４】
図１および図２において、建物10の便器、風呂場、洗面台などの排水設備11に接続した排水枝管12は、ほぼ垂直状に建物10の床下13に向けて配管した縦枝管部14と、床下13にほぼ平行状に同一方向に向けて下流側を下方に向けた勾配をもって配管して建物10の外側に導出するように配管した横枝管部15と、縦枝管部14と横枝管部15とを接続する湾曲枝管部16とにて形成されている。そして、前記湾曲枝管部16は内周面を略平滑面としたフレキシブル管にて形成されている。
【００１５】
20は建物10の外郭と宅地21の境界との間に余裕のある側に沿って宅地21内に配管された塩化ビニール樹脂などの合成樹脂にて成型された排水管で、この排水管20には塩化ビニール樹脂などの合成樹脂にて成型された排水桝22が接続されている。
【００１６】
この排水桝22は図３に示すように、インバート部23の一方端に略筒状の流入口24が突出形成されるとともに他方端に流出口25が突出形成されている。また、この排水桝22のインバート部23の上方に立上り管を接続する受口の掃除口26が突出形成されている。
【００１７】
また、前記排水桝22の一方側部に前記インバート部23に連通する複数、例えば２つの流入枝管口27，28が突出形成されている。この両流入枝管口27，28は先端に建物から導出される排水枝管を接続する受口29がそれぞれ形成されている。そして、この両流入枝管口27，28は前記インバート部23の流入口24側から流出口25側に向かって略円弧状に湾曲されている。
【００１８】
前記排水桝22の流入口24および流出口25の開口端の外周縁にそれぞれ前記インバート部23の流動方向と直交方向の連結用フランジ部30が形成されている。
【００１９】
また、31は排水桝22に宅地21内の排水管20を接続するための塩化ビニール樹脂などの合成樹脂にて成型されたソケットで、このソケット31の一端部には前記排水桝22の流入口24および流出口25と同径の流通口32が開口され、この流通口32の外周縁に前記排水桝22の連結用フランジ部30と同一形の連結用フランジ部33が形成されている。このソケット31の他端部は宅地21内の排水管20を接続する受口34が形成され、この受口34の内端には排水管の端部を当接する段部35が形成されている。
【００２０】
また、37は宅地内の排水最上流端に設けられる排水桝22の流入口24を閉塞するプラグで、塩化ビニール樹脂などの合成樹脂にて前記排水桝22の連結用フランジ部30と同一の外形で板状に成型されている。
【００２１】
次に、この実施の形態の作用を説明する。
【００２２】
建物10内の各排水設備11にそれぞれ接続した排水枝管12の縦枝管部14を建物10の床下13に向けて配管し、この各縦枝管部14の下端にフレキシブル管にて形成した湾曲枝管部16の上端側をそれぞれ接続し、この各湾曲枝管部16の下流側を建物10の床下13に建物10の外郭と宅地21の境界との間に排水管20とこの排水管20に接続する排水桝22を設置する余裕のある方向に向けて建物10の外側に導出するように配管した各横枝管部15にそれぞれ接続する。すなわち、この各横枝管部15はほぼ平行状に同一方向に向けて建物10の外側に導出されている。
【００２３】
そして、宅地21内の排水管20の中間に建物10から一箇所に集中的に導出した複数の排水枝管12を接続する排水管20に複数の排水桝22を排水枝管12の数に応じて接続する。例えば、図３に示すように、上流側の排水桝22の流出口25に形成した連結用フランジ部30と下流側の排水桝22の流入口24に形成した連結用フランジ部30とをシール材を介在してこの両連結用フランジ部30，30に挿通したボルトにナットを螺合締め付けして２個の排水桝22，22を接続する。
【００２４】
そして、この接続された２個の排水桝22，22の内、上流側の排水桝22の流入口24側と下流側の排水桝22の流出口25の連結用フランジ部30とにソケット31の連結用フランジ部33とをシール材を介在してそれぞれ接合し、この上流側のソケット31の受口34に宅地内の上流側の排水管20を接続するとともに下流側のソケット31の受口34に宅地内の下流側の排水管20を接続する。次いで、接続された２個の排水桝22，22の各流入枝管口27，28の受口29に建物10から導出した排水枝管12の横枝管部15をそれぞれ差込み接続する。
【００２５】
また、宅地21内の排水管20の最上流部にて建物から一箇所に集中的に導出した排水枝管12を接続する場合に、図３に示すように、２個連結された排水桝22，22の内、上流側の排水桝22の流入口24の連結用フランジ部30にプラグ37をシール材を介在させて連結用フランジ部30とプラグ37に挿通したボルトにナットを螺合締め付けしてプラグ37を上流側の排水桝22の流入口24に連結用フランジ部30に取付けてこの流入口24を閉塞する。
【００２６】
さらに、下流側の排水桝22の流出口25の連結用フランジ部30とソケット31の連結用フランジ部33とをシール材を介在してそれぞれ接合し、この下流側のソケット31の受口34に宅地21内の下流側の排水管20を接続する。
【００２７】
そして、接続された２個の排水桝22，22の各流入枝管口27，28の受口29に建物から導出した排水枝管12の横枝管部15をそれぞれ差込み接続する。
【００２８】
また、前記実施の形態では、図１に示すように、排水枝管12は縦枝管部14と、床下13に配管して建物10の外側に導出するように配管した横枝管部15とを接続するフレキシブル管の湾曲枝管部16は、縦枝管部14の下端と横枝管部15の上流側との湾曲部のみを接続する構造としたが、図４に示すように、湾曲枝管部16の下流側を水平方向に建物10の外郭近傍まで延長して横枝管部15を短くすることもできる。
【００２９】
また、各排水枝管12の縦枝管部14と横枝管部15および湾曲枝管部16とは一本のフレキシブル管にて形成し、或いは複数本のフレキシブル管を接続して構成することもできる。
【００３０】
また、排水枝管12の横枝管部15および湾曲枝管部16の下流側は建物10の床下の地面上近くに懸架、或いは支台などで支持して配管する。
【００３１】
なお、前記実施の形態では、二つの排水桝22，22を接続した形態について説明したが、宅地10内の排水管20に建物10から一箇所に集中的に導出した４本以上の排水枝管12を接続する場合には、上流側の排水桝22の流出口25に形成した連結用フランジ部30と下流側の排水桝22の流入口24に形成した連結用フランジ部30とを順次接続することにより、建物10から一箇所に集中的に導出した４本以上の排水枝管12を順次排水桝22の流入枝管口27，28に接続する。
【００３２】
また、桝本体１の流入枝管口27，28の内、建物からの排水管を接続しない流入枝管口がある場合には、その排水管を接続しない流入枝管口を図示しない閉塞プラグを受口29に差込んで閉塞する。
【００３３】
さらに、前記実施の形態では、排水桝22の側部に同一方向に流入枝管口27，28を突出した形態について説明したが、排水桝22の側部に一つの流入枝管口27のみを形成した構造とすることもできる。この一つの流入枝管口27を形成した排水桝22は建物10から一箇所に集中的に導出した排水枝管12が偶数本の場合に用い、二つの流入枝管口27，28を形成した排水桝22と一つ流入枝管口27を形成した排水桝22とを適宜に接続して建物10からの排水枝管12の本数に合わせた流入枝管口が得られるようにする。
【００３４】
また、前記実施の形態では、一つの排水桝22の側部に同一方向に二つの流入枝管口27，28を突出した形態について説明したが、一つの排水桝22の側部に同一方向に三つ以上の流入枝管口を突出した構造とすることもできる。
【００３５】
また、排水桝22の流出口25に連結用フランジ部30を形成することなく、排水桝22の流入口24に連結用フランジ部30を形成するとともに宅地21内に配管される下流側の排水管20を接続するために流出口25を受口とすることにより、前記ソケット31を用いずに排水管を接続できる。さらに、排水桝22の流入口24に連結用フランジ部30を形成することなく、流出口25に連結用フランジ部30を形成し、流入口24を宅地21内に配管される排水管20を接続するために受口とすることにより、前記ソケット31を用いずに排水管20を接続することもできる。
【００３６】
また、排水桝22の流入口24および流出口25に宅地21内に配管される排水管20をソケット31を用いずに接続できるように、流入口24および流出口25を受口とすることもできる。
【００３７】
さらに、排水桝22の流入枝管口27，28の内、少くとも一つの枝管流入口はトラップ口とし、建物10から導出された排水枝管12の風呂などの排水設備11にトラップが接続されていない場合に、排水桝22のトラップ口にて形成されている流入枝管口に建物10からの排水枝管12を接続することにより容易に建物内に臭気が逆流することを防止できる。
【００３８】
【発明の効果】
請求項１記載の発明によれば、建物内の各排水設備にそれぞれ接続する排水枝管は、建物の外郭と宅地の境界との間に排水桝を接続した排水管を配管する余裕がある側に向けて、各排水設備に接続した排水枝管をそれぞれ床下に下流側に向けて勾配をもって配管して建物の外側に導出することができ、狭い宅地内でも建物の各排水枝管を容易に接続でき、建物の各排水設備に接続されている排水枝管は縦枝管部と横枝管部とを接続する湾曲枝管部の配管が容易となり、排水設備からの排水が円滑に行われ、配管作業が容易となる。
【００３９】
請求項２記載の発明によれば、各排水設備に接続した排水枝管を宅地内の排水桝を接続した排水管を建物の外郭と宅地の境界との間に配管する余裕のある側に向けて容易に配管でき、建物の各排水設備からの排水枝管を容易に排水管に接続した排水桝に接続できる。
【００４０】
請求項３記載の発明によれば、各排水設備に接続した排水枝管を宅地内の排水桝を接続した排水管を建物の外郭と宅地の境界との間に配管する余裕のある側に向けて容易に配管でき、建物の各排水設備からの排水を確実に排水桝から宅地内の排水管に流出できる。
【図面の簡単な説明】
【図１】本発明の一実施の形態を示す住宅用排水配管装置の平面図である。
【図２】同上一部を切り欠いた正面図である。
【図３】同上排水管に接続する排水桝の一部を切り欠いた平面図である。
【図４】本発明の他の実施の形態を示す住宅用排水配管装置の平面図である。
【図５】従来の住宅用排水配管装置の配管図である。
【符号の説明】
10    建物
11    排水設備
12    排水枝管
13    床下
14    縦枝管部
15    横枝管部
16    湾曲枝管部
20    排水管
21    宅地
22    排水桝
27，28    流入枝管口


【手続補正２】
【補正対象書類名】図面
【補正対象項目名】図５
【補正方法】変更
【補正の内容】
【図５】
1998331221.tif 000001